(57)【要約】      （修正有）【課題】手荷物取扱いシステムに応用できるトランシーバの提供。【解決手段】モジュレーション処理される直列抵抗であるR（modulator）と並列スイッチＳＷ１を、アンテナとＤＣ保存キャパシタＣｄｃとの間の回路のＡＣ部分に設置する。またはモジュレーション処理される直列抵抗であるR（modulator）と並列スイッチＳＷ１を、アンテナとＤＣ保存キャパシタＣｄｃとの間の回路のＤＣ部分に設置する。両回路とも同一の送信された信号を提供し、ＤＣ操作バイアスのために実際には後者のほうが利用が簡単である。さらにまた、モジュレーション処理された直列抵抗をアンテナとアンテナのチューニングキャパシタとの間に設置する。【選択図】図５
2011123910.tif 000002
【特許請求の範囲】
【請求項１】
トランシーバであって、
第１ＲＦ電磁信号を受信し、第２ＲＦ電磁信号を送信するアンテナと、
該第１ＲＦ電磁信号に基いて該アンテナから第３電気信号を受信する信号処理手段と、
該アンテナと該信号処理手段との間に直列に設置され、該アンテナに第４電気信号を提供して前記第２ＲＦ電磁信号を発生させ、該アンテナと該信号処理手段との間の直列インピーダンスを変動させるモジュレータ手段と、
を含んで構成されていることを特徴とするトランシーバ。
【請求項２】
本トランシーバはトランスポンダであって、第１ＲＦ電磁信号と第２ＲＦ電磁信号はそれぞれ互いに異なる第１周波数と第２周波数で変調されることを特徴とする請求項１に記載のトランシーバ。
【請求項３】
トランシーバによる送受信方法であって、
第１ＲＦ電磁信号を受信し、第２ＲＦ電磁信号を送信するアンテナを提供するステップと、
該第１ＲＦ電磁信号に基いて該アンテナから第３電気信号を受信する信号処理手段を提供するステップと、
該アンテナと該信号処理手段との間に直列に設置されるインピーダンスを提供するステップと、
該アンテナに第４電気信号を提供して前記第２ＲＦ電磁信号を発生させるステップと、
該アンテナと該信号処理手段との間の直列インピーダンスを変動させるステップと、
を含んで構成されていることを特徴とする送受信方法。
【請求項４】
受動型トランスポンダであって、
第１ＲＦ電磁信号を受信し、第２ＲＦ電磁信号を送信するアンテナと、
該第１ＲＦ電磁信号から発生する第３電気信号を該アンテナから受信し、該第３電気信号から発生する第４電気信号を提供する信号処理手段と、
該信号処理手段と並列に提供され、該第３電気信号のパワーの一部を吸収して後に本トランスポンダに利用させるパワー保存手段と、
前記アンテナと該信号処理手段との間に直列に設置され、それらの間のインピーダンスを選択的に変動させて前記第２ＲＦ電磁信号を発生させるモジュレータ手段と、
前記第４電気信号をサブキャリアと組み合わせて第５信号を発生させ、該モジュレータ手段に提供するミキサーと、
を含んで構成されていることを特徴とするトランスポンダ。
【請求項５】
第１ＲＦ電磁信号と第２ＲＦ電磁信号を送受信するアンテナであって、
該第１ＲＦ電磁信号に第１電流を発生させ、該第２ＲＦ電磁信号を発生させる第２電流をサポートする同調コイルと、
本アンテナと並列に設置されたモジュレータ手段であって、該第１電流と該第２電流を通流させ、前記同調コイルに該第１電流に対しては高く、該第２電流に対しては低い同時的デュアルＱファクタを提供するモジュレータ手段と、
を含んで構成されていることを特徴とするアンテナ。
【請求項６】
第１電流または該第１電流から発生する信号は信号処理手段に提供され、モジュレータ手段は同調コイルと信号処理手段との間のインピーダンスを変動させることを特徴とする請求項５に記載のアンテナ。
【請求項７】
トランシーバであって、
第１ＲＦ電磁信号を受信し、第２ＲＦ電磁信号を送信するアンテナと、
該アンテナから該第１ＲＦ電磁信号を示す第３電気信号を受信する信号処理手段と、
該アンテナと該信号処理手段との間に直列に設置され、該アンテナに第４電気信号を提供して前記第２ＲＦ電磁信号を発生させ、該アンテナの電圧を段階的に変動させて該アンテナを流れる電流を高低値間で変動させ、該アンテナの受信効率に影響を及ぼすことなく前記第２ＲＦ電磁信号を送信させるモジュレータ手段と、
を含んで構成されていることを特徴とするトランシーバ。
【請求項８】
トランシーバによる送受信方法であって、
第１ＲＦ電磁信号を受信し、第２ＲＦ電磁信号を送信するアンテナを提供するステップと、
該第１ＲＦ電磁信号に基いて該アンテナから第３電気信号を受信する信号処理手段を提供するステップと、
該アンテナと該信号処理手段との間に直列に設置されるモジュレータを提供するステップと、
該アンテナに第４電気信号を提供して前記第２ＲＦ電磁信号を発生させるステップと、
前記モジュレータのインピーダンスを変動させ、該アンテナの電圧を段階的に変動させて該アンテナを通流する電流を高低値間で変動させ、該アンテナの受信効率に影響を及ぼさずに前記第２ＲＦ電磁信号を送信させるステップと、
を含んで構成されていることを特徴とする送受信方法。
【請求項９】
トランシーバであって、
第１所定周波数を有した第１ＲＦ電磁信号を受信し、対応して第２電気信号を発生させるアンテナと、
該第２電気信号に対応する受信回路と、
前記アンテナに前記第１所定周波数周辺で共鳴周波数を提供する同調回路と、
該アンテナと該同調回路との間で直列に設置され、それらの間のインピーダンスを変動させて第２所定周波数にて該アンテナ内で前記第２電気信号に第３電気信号を発生させ、該アンテナに該第３電気信号から発生する第４ＲＦ電磁信号を送信させるモジュレータと、
を含んで構成されていることを特徴とするトランシーバ。
【請求項１０】
第１所定周波数と第２所定周波数は実質的に異なることを特徴とする請求項９記載のトランシーバ。
【請求項１１】
同調アンテナであって、
第１所定周波数を有した第１ＲＦ電磁信号を受信して第２電気信号を発生させるコイルと、
該コイルと並列に接続され、該第１所定周波数周辺で本同調アンテナに共鳴周波数を提供するキャパシタと、
該キャパシタと直列に設置され、変動インピーダンスを提供し、第２電気信号に第２所定周波数にて前記コイル内で第３電気信号を発生させ、該コイルに該第３電気信号から発生する第４ＲＦ電磁信号を送信させるモジュレータと、
を含んで構成されていることを特徴とする同調アンテナ。
【請求項１２】
トランシーバとの間で第１ＲＦ電磁信号を送信して第４ＲＦ電磁信号を送信する方法であって、
アンテナで第１所定周波数を有した該第１ＲＦ電磁信号を受信し、対応して該アンテナ内で第２電気信号を発生させるステップと、
該第２電気信号を受信回路に提供するステップと、
同調回路で該アンテナを同調させて前記第１所定周波数周辺で共鳴周波数を持たせるステップと、
該アンテナと該同調回路との間のインピーダンスを変動させ、前記第２電気信号に第２所定周波数にて該アンテナ内で第３電気信号を発生させ、該第３電気信号から前記第４ＲＦ電磁信号を発生させて送信させるステップと、
を含んで構成されていることを特徴とする送受信方法。
【請求項１３】
トランシーバとの間で第１ＲＦ電磁信号を送信して第４ＲＦ電磁信号を送信する方法であって、
第１所定周波数を有したコイルで該第１ＲＦ電磁信号を受信するステップと、
該コイルと並列にキャパシタを接続してアンテナに該第１所定周波数周辺で共鳴周波数を提供するステップと、
前記第１ＲＦ電磁信号から第２電気信号を発生させるステップと、
該キャパシタと直列に設置され、両方に変動インピーダンスを提供させて第２電気信号に第２所定周波数にて前記コイル内で第３電気信号を発生させ、該コイルに該第３電気信号から発生する前記第４ＲＦ電磁信号を送信させるステップと、
を含んで構成されていることを特徴とする送受信方法。
【発明の詳細な説明】
【技術分野】
【０００１】
本願発明はトランシーバに関する。本発明は主として電波識別（ＲＦＩＤ：Radio Frequency Identification）分野のために開発されたものであり、本発明はそのような適用を通じて解説されている。しかしながら、本発明は他の分野での利用も可能である。本発明は特に、単アンテナを使用したトランスポンダとのデータ通信における利用が想定されている。この通信はいかなる数の相互に異なる周波数においても可能である。本発明は受動トランスポンダ(passive transponder)に対して適用されるときに特に有効である。すなわち、受信励起信号(excitation signal)またはインテロゲーション（尋問）信号(interrogation signal)から作動パワーを引き出すトランスポンダに対する適用に好適である。
【背景技術】
【０００２】
従来技術システムおいては、抵抗がアンテナと並列に提供されており、そのアンテナによって発生された電流を変化させるようにモジュレーション処理されている。図１は従来技術を例示している。アンテナコイルＬはキャパシタＣによってチューニングされており、抵抗R(modulator)はそのコイルと並列にスイッチ操作される。整流器(rectifier)（半波または全波整流器）は電圧をＤＣ電圧に変換し、ＤＣ保存キャパシタCdcに保存する。トランスポンダ回路負荷(circuit load)は負荷抵抗R(chip)で表されている。
【０００３】
図２は従来技術のチューニングされたコイルのＡＣ電気モデルを表している。そのコイルの過渡応答は全ＱファクタQtで決定される。
【０００４】
１/Qt＝１/Qc＋１/Qi                    （１）
このQcはチューニングキャパシタＱファクタQc＝wRCであり、QiはコイルＱファクタでwＬ/racで与えられる。抵抗Rは、R(modulator)とR(chip)の等価並列ＡＣ抵抗であり、racはコイルの直列ＡＣ抵抗であり、wはラジアンで表された角周波数(angular frequency)である。正弦励起(sinusoidal excitation)またはコンポーネント(component)のパラメータ変化(parametric change)に対するこの回路の正弦曲線過渡応答(sinusoidal transient response)の時定数Tsは次の式で与えられる。
【０００５】
Ts＝２Qt/w                            （２）
同調回路のバンド幅（ＢＷ）は次の式で与えられる。
【０００６】
ＢＷ＝１/Ts.PI＝w/Qt.２.PI.              （３）
このような同調回路はそのバンド幅内でのみ信号を送ることができる。
【０００７】
図３は、図１の従来技術回路の電気モデルである。そのアンテナ回路の信号処理回路の有効負荷(effective load)はR(chip)で概略的に表されており、モジュレーション抵抗はR(modulator)である。そのアンテナコイル電流Iaは次の式で与えられる。
【０００８】
Ia＝２.Vo.（wC）.Rt                    （４）
Voはアンテナ端末電圧であり、Rtは、R(modulator)と、R(chip)で表される有効ＡＣ負荷のと全並列抵抗である。ＤＣ負荷R(chip)は、有効ＡＣ負荷R(chip)/2で表される。
【０００９】
アンテナの電流変化速度は２つのファクタで規制される。まず、アンテナのＱファクタは過渡応答時定数Tsを規制する。次に、トランスポンダのＤＣパワー保存手段（ＤＣ保存キャパシタ）のサイズである。アンテナ電流のいかなる変化もアンテナ電圧の対応する変化にマッチするであろう。これで最終的にはＤＣ保存キャパシタのＤＣ電圧の変化に導かれる。これはＤＣシステムに保存されたエネルギーの変動を表すため、アンテナ回路がエネルギー変化を供給するには有限である時間が必要とされるであろう。
【００１０】
図４(a)から図４(d)は前述の２つの規制メカニズムを概略グラフで図示している。特に、図４(a)と図４(b)は抵抗負荷を備えたアンテナ回路と関連波形をそれぞれ図示している。この形態で、アンテナのＱファクタは過渡応答を規制する。図４(c)と図４(d)は大キャパシティブ負荷(capacitive load)を有したアンテナ回路と、その関連波形とをそれぞれ図示している。後者の形態で、アンテナ回路は整流器を介してＤＣ保存キャパシタCdcと並列抵抗負荷(parallel resistiveload)とに接続されており、その過渡応答はＤＣ保存キャパシタのサイズと、そのアンテナから得られるチャージ電流とで規制される。負荷に供給されるＤＣ電流Iiは次の式で与えられる。
【００１１】
Ii＝Vdc/R(chip)                        （５）
従って、キャパシタ電圧のd(Vdc)の変化は次の式のもの以上の時間をとる。
【００１２】
Tdc＝d(Vdc).R(chip).Cdc/Vdc            （６）
このVdcはＤＣ出力電圧である。図４(d)は値Tdcを図示している。
【発明の開示】
【発明が解決しようとする課題】
【００１３】
従来システムにおいては、受動ＲＦＩＤトランスポンダは受信アンテナと送信アンテナとを含んでいた。別々のアンテナの必要性はトランスポンダのコストと構造の複雑性とを高めていた。この問題に対処するため、いくつもの単アンテナ式トランスポンダが開発されてきた。すなわち、トランスポンダのアンテナは信号の送受信に使用される。一般的に、これらアンテナは受信または尋問周波数(interrogating frequency)にチューニングされており、送信周波数は受信周波数と大きく異なることはできない。さもないと、アンテナは効率良く送信信号を送信することができないであろう。高速でデータを送信するためには低効率低Ｑアンテナ(low efficiency low Q antenna)が必要であり、高効率で信号を受信するには高Ｑアンテナが必要である。この矛盾により、高速データ通信に高効率アンテナは使用できない。これら全てのシステムの通信効率はこのチューニングアレンジによって低下する。さもなければ、アンテナコイルのストレーキャパシタンス(stray capacitance)によって悪影響を受ける。加えて、受動トランスポンダにおいては、パワー保存システム(power storage system)の電気慣性(electrical inertia)がデータ速度(data rate)を制限する。そのようなシステムの例は、ＡＵ55902/86、ＵＳ4546241、ＵＳ4517563、ＵＳ4075632、ＵＳ4038653、ＵＳ3832530、ＵＳ3299424で提供されている。
【課題を解決するための手段】
【００１４】
本願発明の１目的は、少なくなくとも好適実施例においては、従来技術の欠点を解消または実質的に軽減させ、あるいは少なくとも有用な代替物を提供することである。
【００１５】
本発明の１つの特徴によれば、以下の構成要素を含んだトランシーバが提供される。そのトランシーバは、
第１信号を受信し、第２信号を送信するアンテナと、
第１信号を表す第３信号をそのアンテナから受信する信号処理手段と、
それらアンテナと信号処理手段との間に設置され、第２信号を形成させるためにそのアンテナに第４信号を提供するモジュレータ手段と、
を含んでいる。そのモジュレータ手段は、アンテナと信号処理手段との間のインピーダンスを変化させ、アンテナにデュアル式Ｑファクタ(dual Q factor)を提供する。そのＱファクタは第１信号に対しては高く、第２信号に対しては低いものである。
【００１６】
ここで使用する“高”及び“低”とは、Ｑファクタに関しては相対的なものであり、可能なＱファクタの絶対範囲を意味するものではない。
【００１７】
本発明の第２の特徴によれば、以下のステップを含んだトランシーバ動作方法が提供される。その方法は、
第１信号を受信し、第２信号を送信するアンテナを提供するステップと、
第１信号を表す第３信号をそのアンテナから受信する信号処理手段を提供するステップと、
第２信号を形成させるためにそのアンテナに第４信号を提供するステップと、
それらアンテナと信号処理手段との間のインピーダンスを変化させ、アンテナにデュアル式Ｑファクタを提供するステップと、
を含んでいる。そのＱファクタは第１信号に対しては高く、第２信号に対しては低いものである。
【００１８】
好適には、そのトランシーバはトランスポンダであり、それら第１信号と第２信号はそれぞれ第１周波数と第２周波数でモジュレーション処理される。それら第１周波数と第２周波数とは異なるものである。さらに好適には、そのトランスポンダは受動的であり、信号処理手段は処理回路とパワー保存手段とを含んでいる。第３信号によって提供されるパワーの一部はそのパワー保存手段に保存され、以降のトランスポンダへのパワー供給に利用される。
【００１９】
また好適には、そのモジュレータ手段は、アンテナと信号処理手段との間のインピーダンスを高低値間で変動させ、アンテナによって受信され、アンテナから送信されるそれぞれの信号に対して、高Ｑファクタ、低Ｑファクタをもたらす。さらに好適には、そのインピーダンスを、第３信号のＤＣ変動速度(slew rate)よりも大きな速度で高低値間で変動させる。さらに好適には、そのインピーダンスは抵抗である。
【００２０】
１好適実施態様においては、そのアンテナはコイル式であり、キャパシタによってチューニングされている。さらに好適には、第２信号を発生させるため、アンテナの電圧はモジュレーション処理され、あるいは所定の方法で変動される。アンテナ電圧のこの変動は、アンテナコイル電流の比例変動に対応する。すなわち、d(I)＝d(V) wLである。さらに好適には、そのモジュレーション手段は、アンテナと信号処理手段との間に直列式に配置された低インピーダンスを変動させ、アンテナの電圧を変動させる。さらに好適には、その低インピーダンスは、アンテナから見た全負荷インピーダンス(load impedance)の１０％以内である。
【００２１】
好適実施態様によっては、その直列抵抗(series resistance)はＲＦサブキャリア(sub-carrier)でモジュレーション処理され、データは送信のためにそのサブキャリア上にモジュレーション処理される。これらの実施態様において、この直列抵抗の変動またはモジュレーション処理は、アンテナ電圧及びアンテナ電流の急速な変動を引き起こす。それら変動はアンテナのＱファクタや保存手段によっては制限されない。また、アンテナは同時に、パワーを受信するための高Ｑファクタと、データを送信するための低Ｑファクタとを有している。
【００２２】
１好適形態においては、トランシーバは、データの送信速度(transmission rate)を、アンテナのＱファクタ並びにＤＣ保存手段のキャパシティとの両方から脱カップリング(decoupled)させることができる。
【００２３】
本発明の第３の特徴によれば、以下の構成要素を含んだ受動トランスポンダが提供される。このトランスポンダは、
第１信号と第２信号とをそれぞれ受信して送信するためのアンテナと、
第１信号から導かれた第３信号をそのアンテナから受信し、その第３信号から導かれた第４信号を提供する信号処理手段と、
その信号処理手段と並列であり、トランスポンダのために後で利用するように第３信号のパワーの一部を吸収するパワー保存手段と、
それらアンテナとパワー保存手段との間に配置され、それらの間のインピーダンスを選択的に変動させて第２信号を発生させるモジュレーション手段と、
第４信号とサブキャリアとを組み合わせ、モジュレーション手段に提供される第５信号を創出させるミキサーと、
を含んで構成されている。
【００２４】
好適には、そのモジュレーション手段は第５信号に基づいてインピーダンスを変動させる。さらに好適には、そのインピーダンスは抵抗である。
【００２５】
１好適形態においては、そのパワー保存手段はキャパシタを含んでいる。
【００２６】
本発明の第４の特徴によれば、第１信号と第２信号をそれぞれ受信及び送信するためのアンテナが提供される。そのアンテナは、
第１信号が第１電流を発生させ、第２信号を発生させるための第２電流をサポートするチューニングされたコイルと、
それら第１電流と第２電流とを通流させ、そのコイルにデュアル式Ｑファクタを提供するためのモジュレータ手段と、
を含んで構成されている。このＱファクタは第１電流に対しては高く、第２電流に対しては低いものである。
【００２７】
好適には、第１電流またはその第１電流から導かれた信号は信号処理手段に提供される。さらに好適には、そのモジュレータ手段はコイルと信号処理手段との間のインピーダンスを変動させる。さらに好適には、そのインピーダンスは抵抗であり、所定値とゼロ抵抗との間で切り替えられる。
【００２８】
本発明の第５の特徴によれば、以下の構成要素を含んだトランシーバが提供される。そのトランシーバは、
第１信号を受信し、第２信号を送信するアンテナと、
そのアンテナから第１信号を表す第３信号を受信する信号処理手段と、
それらアンテナと信号処理手段との間に配置され、そのアンテナに第４信号を提供して第２信号を形成させるモジュレータ手段と、
を含んでいる。そのモジュレータ手段は、アンテナの電圧を実質的に段階的に変動させ、低値と高値との間でアンテナに流れる電流の変動に影響を及ぼし、アンテナの受信効率に実質的な影響を及ぼすことなく第２信号を送信させるものである。
【００２９】
本発明の第６の特徴によれば、次のステップを含んで成るトランシーバ動作方法が提供される。その動作方法は、
第１信号を受信し、第２信号を送信するアンテナを提供するステップと、
そのアンテナから第１信号を表す第３信号を受信するための信号処理手段を提供するステップと、
そのアンテナに第４信号を提供し、第２信号を形成させるステップと、
アンテナの電圧を実質的に段階的に変動させ、低値と高値との間でアンテナに流れる電流の変動に影響を及ぼし、そのアンテナの受信効率に実質的な影響を及ぼすことなく第２信号の送信を行わせるステップと、
を含んで成る。
【００３０】
好適には、第１信号はキャリア信号を含んでおり、低値と高値との間での電流の変動はそのキャリア信号の１周期(period)以下または同程度で発生する。
【００３１】
本発明の第７の特徴によれば、次の構成要素を含んで成るトランシーバが提供される。そのトランシーバは、
第１所定周波数を有した第１信号を受信し、対応して第２信号を発生させるアンテナと、
その第２信号に対応する受信回路と、
第１所定周波数程度の共鳴周波数(resonant frequency)をアンテナに提供するためのチューニング回路と、
アンテナとチューニング回路との間に配置され、それらの間のインピーダンスを変動させ、第２信号によって第２所定周波数でアンテナに第３信号を発生させ、アンテナに第３信号から導かれた第４信号を送信させるモジュレータと、
を含んでいる。
【００３２】
好適には、第１及び第２所定周波数は実質的に異なっている。
【００３３】
好適には、アンテナはコイルを含んでおり、チューニング回路はそのコイルと並列に接続されたキャパシタを含んでいる。さらに好適には、そのアンテナはコイルで成り、チューニング回路はキャパシタで成る。さらに好適には、モジュレータはキャパシタと直列状態で接続されている。
【００３４】
好適な形態においては、受信回路は第２信号に対応してモジュレータを始動させ、第３信号を提供する。さらに好適には、その第３信号はそのトランシーバ特有のデータ信号に従ってモジュレーション処理される。さらに好適には、そのデータ信号は受信回路に保存され、モジュレータに対して選択的に提供される。
【００３５】
好適には、第２信号は第１信号によってアンテナに発生される電流である。別実施例においては、第２信号は第１信号によってチューニング回路に誘導された電圧である。
【００３６】
本発明の第８の特徴によれば、次の構成要素を含んで成るチューニングされたアンテナが提供される。そのアンテナは、
第１所定周波数を有した第１信号を受信するコイルと、
そのコイルと並列に接続され、その第１所定周波数近辺でアンテナに共鳴周波数を提供するキャパシタと、
そのキャパシタと直列に設置され、多様なインピーダンスを提供し、そのコイルにて第２所定周波数で第２信号に第３信号を発生させるモジュレータと、
を含んでいる。そのコイルは第３信号から導かれた第４信号を送信する。
【００３７】
本発明の第９の特徴によれば、次のステップを含んで成る、第１信号と第４信号をそれぞれトランシーバとの間で通信させる方法が提供される。その方法は、
アンテナで第１所定周波数を有した第１信号を受信し、対応して第２信号を発生させるステップと、
その第２信号を受信回路に提供するステップと、
そのアンテナを、第１所定周波数近辺での共鳴周波数を有するようにチューニング回路でチューニングするステップと、
それらアンテナとチューニング回路との間のインピーダンスを変動させ、第２所定周波数にて第２信号に第３信号を発生させ、そのアンテナに第３信号から導かれた第４信号を送信させるステップと、
を含んで成る。
【００３８】
本発明の別な特徴によれば、第１信号と第４信号をそれぞれ受信及び送信する方法が提供される。その方法は、
コイルで第１所定周波数を有した第１信号を受信するステップと、
そのコイルと並列にキャパシタを接続し、アンテナにその第１所定周波数近辺で共鳴周波数を提供するステップと、
第１信号から第２信号を発生させるステップと、
キャパシタと直列にモジュレータを設置し、変動インピーダンスを提供させ、第２所定周波数にてコイル内で第２信号に第３信号を発生させ、そのコイルに第３信号から導かれた第４信号を送信させるステップと、
を含んでいる。
【００３９】
好適には、そのアンテナはキャパシタでチューニングされたコイルである。当業技術者であれば理解しようが、このタイプの単アンテナトランシーバ（トランスポンダ）からの信号を送信するには、コイル内に流れる電流は所定の方法でモジュレーション処理あるいは変動される。最適には、このことは、アンテナとチューニングキャパシタとの間で直列に配置された小型可変抵抗を利用し、コイルで発生される電流を変動させることで達成される。好適実施態様によっては、その小型直列抵抗はＲＦキャリアでモジュレーション処理され、データはアンテナでの送信のためにキャリアにモジュレーション処理される。この小型抵抗の抵抗値の変動またはモジュレーションは、アンテナのチューニングでは制限されないコイル内の電流の急速な変化を引き起こす。従って、本発明はこれら実施態様において、第１所定周波数での受信と、第１所定周波数とは異なる第２所定周波数での送信とを同時に行わせる。
【００４０】
本発明の他の実施態様では、１体のチューニングされたアンテナを使用して２以上の異なる周波数にてトランシーバまたはトランスポンダからデータを送信させる。これら実施態様は、空港、バスターミナル、列車駅等での手荷物取扱いシステムや小包の取扱いシステムのごとき受動ＲＦＩＤトランスポンダに利用されるときに特にメリットが大きい。
【００４１】
本発明の好適実施態様は、従来技術における受信周波数に近似していなければならない送信周波数の規制を克服するものであり、送信周波数をアンテナのチューニングされた受信周波数から完全に脱カップリングさせている。このことによって、送信周波数よりそれぞれ低く、あるいは高くチューニングされたアンテナによって、トランスポンダからの高い、あるいは低い周波数信号の送信が可能となっている。
【発明を実施するための最良の形態】
【００４２】
本発明の好適実施態様を添付図面を利用して例示的に解説する。以下の本発明の説明において、時間と周波数の領域の方法を利用して本発明は説明されている。当業技術者であれば、時間領域方法は本発明の過渡特性に関する情報を提供し、周波数領域の方法はＡＣ電気特性の説明に利用されることを理解しよう。本明細書においては用語“トランスポンダ”と“トランシーバ”とは互換性をもって使用されている。
【００４３】
単アンテナを採用したＲＦＩＤトランスポンダは、インテロゲーションまたは励起フィールド(interrogating or exciting field)で尋問(interrogate)される。このフィールドはトランスポンダのアンテナで受領され、そのアンテナに誘導された電圧は整流(rectify)が可能であり、トランスポンダへのパワー供給に使用が可能である。トランスポンダがインテロゲータに対してメッセージを送り戻せることが必要である。単アンテナトランスポンダにおいては、送信された信号は、インテロゲーション信号の受信に使用されるものと同じアンテナから放信されなければならない。
【００４４】
次に解説する本発明の好適実施例は前述の規制及び制限を克服するために開発されたものである。図５(a)と図５(b)、図１５(a)と図１５(b)は本発明の４種の好適実施例であり、対応する特徴は同様な文字と数字とで表されている。図５(a)において、抵抗R(modulator)と並列スイッチＳＷ１の形態のモジュレーション処理される直列抵抗は、アンテナと保存キャパシタ（コンデンサ）との間であって、回路のＡＣ部分に配置されている。図５(b)において、抵抗R(modulator)と並列スイッチＳＷ１の形態のモジュレーション処理される直列抵抗は、アンテナと保存キャパシタとの間であって、回路のＤＣ部分に配置されている。両方の回路とも同じ送信信号を発生させる。実際には、図５(b)に示す回路は、そのＤＣ作動バイアス(operating bias)によって実施がさらに簡単である。図１５(a)と図１５(b)において、モジュレーション処理される直列抵抗はアンテナとアンテナのチューニングキャパシタとの間に配置される。
【００４５】
スイッチＳＷ１は、直列抵抗R(modulator)のインピーダンスを変動させるモジュレーション手段を概略的に表している。単純化するためにスイッチが例示されているが、制御下で可変インピーダンスを提供する他の手段であっても他の実施例で使用できる。
そのスイッチは、ベースバンド信号であるか、送信のためにデータがモジュレーション処理されている高周波サブキャリア等のデータ信号でモジュレーション処理されている。図５(a)と図５(b)に示される実施例において典型的には、そのサブキャリア周波数は励起周波数の１％から５０％の範囲であり、図１５(a)と図１５(b)の実施例においては、サブキャリア周波数範囲は数ヘルツから励起周波数の数千倍までである。さらに、そのサブキャリアの好適なモジュレーション処理方法はフェーズリバースキー処理（ＰＲＫ：Phase ReverseKeying）である。
【００４６】
本発明のこの好適実施例で、アンテナの電圧のエンベロープ(envelope)はスイッチＳＷ１の開閉に即したものである。図５(a)と図５(b)に示される実施例においては、スイッチが閉じられるとアンテナ電圧は整流器の低インピーダンスを通じてＤＣ保存キャパシタ電圧にクランプ(clamped)される。
【００４７】
図６(a)と図６(b)は本発明の電気モデルを図示しており、モジュレータスイッチＳＷ１は閉鎖されている。この場合、スイッチの直列インピーダンスは最低（名目ゼロ）にまで低減される。図６(a)は整流器とＤＣ回路とを備えたアンテナ回路を図示している。アンテナと保存キャパシタとの間の残留直列インピーダンスは整流器の動作抵抗(dynamic impedance)のものである。
【００４８】
従って、次の式が得られる。
【００４９】
R(diode)＝d(Vdiode)/d(Idiode)    （７）
この状態で、ＤＣ保存キャパシタは、ＤＣ電圧のVdcを提供する低インピーダンス電圧源で表すことができる。チップ負荷(chip load)はR(chip)で表される。ＤＣ保存キャパシタからの平均電流は定常状態の動作においてゼロでなければならない。よって、表された電圧源の平均電流はゼロである。図６(b)は等価(equivalent)ＡＣ回路モデルを図示しており、ＤＣ保存インピーダンスは、ＡＣ短絡回路として動作し、アンテナから見た負荷インピーダンスは整流器の動作抵抗のみである。ＤＣ保存キャパシタのＡＣインピーダンスは非常に小さいので、それはＡＣ回路では短絡回路として、並びにＤＣ回路のための低インピーダンス電圧源として作用する。
【００５０】
スイッチＳＷ１が開いているとき、電流は整流器からパルス(pulse)し、ＤＣキャパシタをR(modulator)を通じてチャージする。従って、瞬間電圧(instantaneous voltage)V(modulator,t)が発生する。
【００５１】
V(modulator,t)＝R(modulator).I(diode,t)  （８）
I(diode,t)は瞬間整流電流(rectifier current)である。
【００５２】
最大アンテナ電圧は、整流器を通じた、ＤＣキャパシタ電圧とV(modulator,t)の合計になる。
【００５３】
図７(a)と図７(b)は本発明の電気モデルを示しており、図７（ａ）はモジュレータスイッチＳＷ１が開いている。この形態で、アンテナから見た直列モジュレータインピーダンスは最大名目R(modulator)にまで増加される。図７(a)は、整流器を備えたアンテナ回路とＤＣ回路を示している。アンテナと保存キャパシタとの間の直列インピーダンスは、整流器R(diode)とモジュレーション抵抗R(modulator)の動作抵抗である。
【００５４】
R(diode)＝d(Vdiode)/d(Idiode)（９）
ＤＣ保存キャパシタは、両端の電圧がＤＣ電圧Vdcである低インピーダンス電圧源で表すことができる。チップ負荷はR(chip)で表される。ＤＣ保存キャパシタからの平均電流は定常状態の動作のためにはゼロでなければならず、表された電圧源の平均電流はゼロである。図７(b)は等価ＡＣ回路モデルを示しており、チップで見られた負荷インピーダンスは整流器の動作抵抗とモジュレーション抵抗R(modulator)の合算である。ＤＣ保存キャパシタのＡＣインピーダンスは非常に小さいので、それはＡＣ短絡回路としてモデル化されている。
【００５５】
トランスポンダの動作周波数にて、ＤＣ保存キャパシタはＤＣレール(rail)を効果的に脱カップリングさせるために低インピーダンスを提供する。すなわち、キャパシタはＡＣ信号に対して短絡回路を提供する。アンテナとＤＣ保存キャパシタとの間にR(modulator)を配置させると、アンテナはこの小型抵抗を通じてキャパシタ短絡回路を“覗く”ことになる。その結果、アンテナ上の有効ＡＣ負荷はR(modulator)とR(diode)との合算のみになる。よって、アンテナの全Ｑファクタ（Qt）は非常に小さくなる。この実施例においては、典型的な値はR(diode)＝１２０Ω、L＝５uＨ及びC＝２７pＦである。これで全ＱファクタQt＝０．２８となる。よって、アンテナの過渡応答はそのＱファクタで規制されなくなる。
【００５６】
直列インピーダンスR(modulator)の変化で、その回路の定常状態の動作条件はＤＣキャパシタ電圧に対応する変化で変動すると考えられる。動作ＤＣ電圧の変化はこのキャパシタに保存されるエネルギーの変化を表している。キャパシタ値が大きければそれだけその電圧の変化に要するエネルギー量が増加する。従来技術システムにおいては、そのアンテナ電圧はＤＣ電圧をトラッキング(track)しなければならず、ＤＣ保存システムの慣性は最大データ速度(maximum data rate)を厳しく規制する。ＤＣ電圧の最大変動速度(maximum slew rate)d(Vdc)/dtは次の式で与えられる。
【００５７】
d(Vdc)/dt＝Cdc/Idc＝Cdc.R(chip)/Vdc  （１０）
この変化は何十マイクロ秒以上のものとなるであろう。このことが理解されると、従来技術のアレンジがどうして本質的に低データ速度の規制を受けるかが明瞭になる。特に、効率的に動作するには、従来技術のモジュレーションスイッチ速度はＤＣ変動速度制限よりも小さいものでなければならなかった。一方、本発明のこの好適実施例は、この同じ制限値よりも大きなモジュレーションスイッチ速度を可能にしている。
【００５８】
モジュレータスイッチＳＷ１は高周波数で動作され、その時間の一部のみ（典型的には５０％）を開いた状態にし、残りを閉じた状態にする。従って、モジュレータ抵抗はその回路に対するその実際値の平均抵抗値（典型的には５０％）を提供する。スイッチＳＷ１が開閉すると、キャパシタCdcのＤＣ電圧は、前述の脱カップリング作用のために本質的には変化しない。時間の経過とともに、その回路は、この平均抵抗値に見合った新しい安定動作ポイントに移動する。従って、これら実施例においては、直列インピーダンスの変化に対するＤＣキャパシタ電圧の反応時間よりも速くなくてはならないスイッチ速度に対してさらに低い制限が存在する。典型的なコンポーネント値の例は、Cdc＝１０ｎＦ、R(modulator)＝１２０Ω、Vdc＝３.３Ｖ、Idc＝１ｍＡである。これらは１０uｓの変動速度(slew rate)を提供する。これは１００ＫＨｚよりも大きな最小スイッチ速度を暗示している。
【００５９】
この定常状態条件から、スイッチの閉鎖はＤＣ保存キャパシタに最大アンテナ電圧をVdcにクランプさせるであろう。逆に、スイッチの開放は最大アンテナ電圧をV(modulator,t)＝R(modulator).I(diode,t)だけ増加させるであろう。最大整流電流(rectifier current)、すなわち、ＭＡＸ I(diode,t)は平均ＤＣ負荷電流の約８倍から１０倍である。従って、最大モジュレータ電圧ＭＡＸ V(modulator,t)は次の式で与えられる。
【００６０】
ＭＡＸ V(modulator,t)＝８×R(modulator)×Vdc/R(load)（１１）
典型的な回路値Vdc＝３.３Ｖ、R(load)＝３Ｋ３Ω（＝３．３ｋΩ）及びR(modulator)＝１２０Ωとなり、ＭＡＸ V(modulator)＝０.９６Ｖである。
【００６１】
同調回路から見える動的負荷は直列抵抗R(modulator)と整流器の動作抵抗（典型的にはR(diode)＝１Ｖ/８ｍＡ＝１２０Ω）である。従って、R(modulator)＋１Ｖ/８ｍＡ＝２４０Ωとなる。ＤＣ保存キャパシタは有効ＡＣ短絡回路である。典型値Ｌ＝５uＨ、Ｃ＝２７ｐＦ、R(modulator)＋１Ｖ/８ｍＡ＝２４０Ωとなり、Qt＝０.５５である。すなわち、アンテナの過渡応答はそのＱファクタでは規制されない。実際に、アンテナの最大電圧は瞬間的に新最大値に移動する。
【００６２】
図８(a)と図８(b)は本発明の実施例を図示している。そこでは直列抵抗はＲＦサブキャリアでモジュレーション処理される。このＲＦサブキャリアは振幅変調されてアンテナに供給される。図９(a)と図９(b)は本発明の実施例であり、データはそのサブキャリア上にモジュレーション処理されている。そのサブキャリアにインポーズされたデータ（サブキャリアモジュレーションとして）は続いてアンテナに送信される。サブキャリアモジュレーションの好適方法はＰＲＫである。なぜなら、それは回路のＤＣ動作ポイントに変化を発生させないからである。サブキャリア周波数はいかなるソースからでも導かれる。この好適実施例においては、励起フィールド周波数の分周によって導き出される。しかし、最適には、そのサブキャリア周波数はＤＣ保存システムの最大変動速度よりも速い。そこではこの実施例の変動速度は次の式で与えられる。
【００６３】
d(Vdc)/dt＝Cdc.R(chip)/Vdc            （１２）
広い範囲のサブキャリア周波数がこの実施例で達成される。例えば、１形態において、サブキャリア周波数は励起周波数の５０％にもなる。別形態では、サブキャリア周波数は励起周波数の数パーセント程度である。理解されようが、この低周波数制限はＤＣ保存キャパシタ変動速度によって効果的にインポーズ(impose)される。
【００６４】
図１０(a)から図１０(g)は、図８と図９において図示されている本発明の実施例の動作方法をさらに詳細に理解させるように多様な電圧波形とスペクトルを図示している。図示のごとく、モジュレータスイッチの開閉で、アンテナ電圧はスイッチアクションに有効で瞬間的に反応する。スイッチの閉鎖とアンテナ電圧との間の関係は図１０(a)と図１０(b)とに示されている。アンテナ電圧は、サブキャリア周波数Ｆsで直列インピーダンスモジュレータによって振幅変調処理される。アンテナ電流のスペクトルは図１０(c)と図１０(d)で示すように、励起周波数ＦcとＦc＋ＦsとＦc‐Ｆsでのサイドバンドとで成るであろう。このサブキャリアは励磁周波数にまで振幅変調によって周波数変換されている。このサブキャリアはデータ、好適にはＰＲＫでモジュレーション処理が可能である。なぜなら、それは回路のＤＣ動作ポイントを妨害しないからである。図１０(e)と図１０(g)はサブキャリアにモジュレーション処理されたデータスペクトルを示している。それは次にアンテナの励起周波数に振幅変調される。
【００６５】
モジュレーション処理されたサブキャリアサイドバンド電流はアンテナから放出されるフィールドを発生させる。このサブキャリア周波数は、安定した操作ポイントを妨害しないようにその回路のＤＣ定着時間(settling time)よりも長くあるべきである。好適には、図５(a)と図５(b)の実施例においてはサブキャリア周波数は励起周波数よりも小さい。この好適実施例においては、サブキャリアは励起周波数を分周することで発生される。多数のサブキャリア周波数が分割値の選択で利用可能である。よって、利用可能な分割値セットから分割値をランダムに選択することで、トランスポンダはデータの送信のためにチャンネルを選択することができ、その結果、多数の類似したトランスポンダから自身を同時的に特定することができる。このようなアレンジはオーストラリア特許出願第００４６９/８８に開示されている。その開示内容を本明細書に援用する。
【００６６】
高速でデータを送信するのに適した高周波キャリアを発生させることができることの利点に加えて、これらサブキャリアは励起信号のキャリアフェーズノイズへの近接部からは充分に離れている。従って、従来技術システムと比較して、本発明の実施例に従ったレシーバはずっと弱いトランスポンダ信号を検出することができる。なぜなら、励起信号のフェーズノイズはトランスポンダ信号を妨害しないからである。
【００６７】
図１１(a)と図１１(ｂ)は本発明の実施例を図示している。そのアンテナはチューニングされていないコイルである。図１１(a)において、モジュレーション処理される直列抵抗は、アンテナと保存キャパシタ（コンデンサ）との間であって、回路のＡＣ部分に設置されている。図１１(b)において、モジュレーション処理される直列抵抗は、アンテナと保存キャパシタとの間であって、回路のＤＣ部分に設置されている。両方の回路は同じ送信信号を発生させるが、図１１(b)の回路は利用が単純である。なぜなら、ＤＣ動作バイアスが存在するからである。スイッチＳＷ１は直列抵抗Ｒsのインピーダンスを変化させるモジュレーション手段を表している。単純化するためにスイッチが図示されているが、他の実施態様においては、制御された可変インピーダンスを提供する代替方法が使用可能である。
【００６８】
チューニングされていないアンテナが使用されている実施態様においては、反応速度はＤＣ保存システムによってのみ規制される。にも拘わらず、チューニングされたアンテナに適用される直列インピーダンスモジュレータの利点は維持される。モジュレーション抵抗V(modulator)の電圧は次の式で与えられる。
【００６９】
V(modulator)＝R(modulator).I(diode)      （１３）
その電圧は整流電流で発生される。この電圧はＤＣ保存キャパシタの電圧に加えられ、瞬間最大コイル電圧はスイッチの開閉に影響される。スイッチ速度がＤＣ変動速度よりもずっと速いと想定すると、回路のＤＣ動作ポイントに変化は発生せず、ＤＣ保存キャパシタに保存されたエネルギーに変化は生じない。
【００７０】
図１２(a)から図１２(d)は直列抵抗のモジュレーション処理のための多彩なアレンジを示す。図１２(a)に示すスイッチは、図１２(b)で示すようなＦＥＴまたはＢＪＴスイッチで実施が可能である。あるいは、ＦＥＴのチャンネル抵抗を特定のスイッチング可能な直列抵抗の創出に利用することが可能であり、図１２(c)に図示されている。図１２(d)は、直列抵抗の値が２（または３以上）の値間で変動させることができるアレンジを示している。
【００７１】
本発明の好適実施例を、“補償定理(Compensation Theorem)”を利用してさらに一般的に解説する。補償定理とは次のものである。
【００７２】
“電流Ｉを運搬するブランチのインピーダンスがΔＺだけ増加したと仮定すると、ネットワークの各ブランチの電流と電圧の増分は、同一ブランチのΔＺと直列に導入された対抗電圧ΔＶ＝ＩΔＺによって提供されるものと同じである。”
この理論の参考書は「電気技術回路」誌（第２刷、Ｈ.Ｈ.スキリング、３７３ページ）である。
【００７３】
整流器とキャパシタ等のＤＣ保存手段とを備えたアンテナにおいて、最大アンテナ電圧は整流器を介してＤＣ保存電圧にクランプされる。従来技術においては、アンテナの端末最大電圧の変化はアンテナ電流に対応した変化を引き起こした。しかし、前述したように、ＤＣ電圧が変動(slew)する速度を超えることはできない。
【００７４】
モデル化を目的として、このＤＣ保存キャパシタを電圧源Vdcと置換し、整流器をV(diode)に等しい固定順方向電圧降下(forward volt drop)と置換する。最大アンテナ電圧はVdc＋V(diode)でクランプされる。もし電圧源Vdcが小さな段階変化dVdcを起すなら、その最大アンテナ電圧が瞬時に続くであろう。なぜなら、それは整流器を介してそれにクランプされるからである。すなわち、VdcはVdc＋dVdcとなる。図１３(a)は電圧源dVdcがVdcと直列であるアレンジを示している。
【００７５】
もし、２つの別々の電圧源が使用されると同一の現象が起こる。図１３(b)は、Va＝VdcでVb＝Vdc＋dVdcであるアレンジを示している。このことは、従来技術システムにおいては、ＤＣ保存電圧への瞬間的な変化を引き起こすのと同じことである。しかし、これは実際には不可能である。なぜなら、無限のパワーインパルスを必要とするからである。
【００７６】
本発明は、図１３(a)で示すように、電圧源をVdcと直列に配置させることで同一の結果を達成させる代替アレンジを提供する。このモジュレーションの有効性は補償定理によって理解されよう。並列スイッチが閉鎖された状態で、モジュレータ抵抗R(modulator)は短絡回路で表される。スイッチが開くと、補償定理はそれを、電圧源V(modulator)＝I(diode).R(modulator)と直列であるR(modulator)として表す。その過渡応答は、R(modulator)及びその整流器インピーダンスと直列であるステップ電圧変化V(modulator)を考察することで充分に解説が可能である。ＤＣ電圧源Vdcは無視される。そのアンテナは低インピーダンスを介してステップ状に印加された電圧源(step applied voltage source)によって駆動されるので、アンテナは、図１３(a)と図１３(b)に示すように新最大電圧にまで瞬時に駆動されるであろう。図１４は等価補償定理による誘導ソースがアンテナに接続されている回路を図示している。
【００７７】
図１５(a)と図１５(b)は、本発明のトランシーバのさらに２つの実施例を示す。モジュレーション処理される直列抵抗はアンテナチューニングキャパシタと直列に配置されている。図１５(a)において、トランシーバはアンテナコイルにわたって、すなわちその両端に接続されているトランスポンダ回路を含んでいる。図１５(b)において、そのトランスポンダ回路はチューニングキャパシタにわたって、すなわちその両端に接続されている。このように、共鳴電流Iacのみがモジュレータを通過する。トランスポンダの整流電流Irectの電流は、高レベル擬似調波(high level spurious harmonics)の発生を妨害するためにモジュレータを通過しない。
【００７８】
図１６は本発明のチューニングされたアンテナの好適実施例を概略的に図示している。そこでは、モジュレータはアンテナコイルとチューニングキャパシタとの間に配置されている。コイルＬはキャパシタＣでチューニングされている。モジュレーション処理される直列抵抗R(modulator)は、コイルとチューニングキャパシタとの間に設置される。そのコイルは、その共鳴周波数としてＡＣ電圧Vacを有したインテロゲータ信号によって励起される。これで、共鳴電流Iacは、R(modulator)を通ってコイルとチューニングキャパシタとの間を流れる。電圧V(modulator)はR(modulator)に現われる。
【００７９】
V(modulator)＝Iac.R(modulator)              （１４）
もしR(modulator)がΔR(modulator)の深さにまでモジュレーション処理されていれば、V(modulator)の振幅変化ΔV(modulator)は、
ΔV(modulator)＝Iac.ΔR(modulator)          （１５）
となる。
【００８０】
図１６のスイッチＳＷ１は、直列抵抗R(modulator)のインピーダンスを変動させるモジュレータを表している。単純化するためにスイッチが図示されているが、当業技術者であれば理解するように、制御された可変インピーダンスを達成させるいかなる手段でも利用できる。この実施例においては、スイッチは、データが送信のためにキャリアにモジュレーション処理されている、ベースバンド信号あるいはキャリア周波数のいずれかでモジュレーション処理される。典型的には、キャリア周波数は、数ヘルツから、励起周波数の数千倍の範囲から選択される。キャリアへのデータモジュレーションの好適な方法はフェーズリバースキー操作ＰＲＫである。モジュレータＳＷ１は、一部の時間（典型的には５０％）で開放し、残りを閉鎖状態にするようにスイッチ操作される。従って、モジュレータは共鳴周波数でその回路にその値の平均抵抗（典型的には５０％）を提供する。
【００８１】
アンテナの電圧のエンベロープはスイッチの開閉に従う。スイッチが閉鎖されると、電圧はチューニングキャパシタの瞬間的電圧と等しくなり、スイッチが開放されると、アンテナ電圧はチューニングキャパシタの瞬間的電圧＋V(modulator)となる。
【００８２】
図１７(a)と図１７(b)は、本発明の電気モデルであり、チューニングされた周波数と、それより高い電波周波数とを図示している。
【００８３】
本発明のこの実施例は、前述の“補償定理”を使用して一般的に解説することができる。補償定理を利用すると、モジュレータ抵抗が、等価な直列電圧源ΔV(modulator)とR(modulator)で置換できることが理解される。重複状態にて電圧源ΔV(modulator)は、電流Ｉmodをチューニングされた回路に流させる。Imodの振幅はコイルとキャパシタの合成とR(modulator)の直列インピーダンスによって制限される。このコイルのモジュレーション電流Imodは磁界としてモジュレーションを送信するであろう。この送信された信号の強度は、コイル電流Imod、コイル面積及びコイル巻き数の積で与えられる磁力モーメントと比例する。
【００８４】
図１７(a)のチューニングされたモデルはコイルＬ、コイルのＡＣ抵抗rac及びチューニングキャパシタＣを図示している。モジュレーション抵抗は補償定理的に等価なΔV(modulator)とR(modulator)の直列合成で置換されている。このコイルを流れる電流Ｉmodの振幅はコイルとキャパシタの合成であるracとR(modulator)の直列インピーダンスで制限されている。
【００８５】
この実施例において、R(modulator)は高周波（ＲＦ:radio frequency）でモジュレーション処理されており、図１７(b)に示す本発明のＲＦモデルは回路分析のために使用される。高周波（ラジオ周波数）で、チューニングキャパシタＣはＲＦ短絡回路で置換され、コイルの並列ストレーキャパシタンスＣsが加えられる。従来技術の回路とは異なり、そのチューニングキャパシタは回路操作に影響を及ぼさない。さらに、典型的なＣsの値に対して、Ｃsの直列インピーダンスはR(modulator)よりもずっと大きい。従って、これはコイルの電流Ｉmodの振幅にはほとんど影響を及ぼさない。ImodはコイルインピーダンスracとR(modulator)のみで規制される。
【００８６】
３ＭＨｚあたりのＲＦ周波数では、典型的な回路値は次のようになる。
【００８７】
R(modulator)＝１０Ω；ΔR(modulator)＝５Ω；Iac＝２５ｍＡ、Ｌ＝２５０uＨ；rac＝２５Ω、Ｃs＝１００ｐＦ、Ｃ＝５．６ｎＦ。よって、V(modulator)＝１２５ｍＶとImod＝２６.５uＡである。５０巻きで、８０ｍｍｘ５０ｍｍの面積のコイルでは、磁力モーメントは５.３uＡ.巻.ｍ2である。
【００８８】
共鳴周波数よりも低いキャリア周波数が使用される場合も補償定理は有効であり、コイル電圧のエンベロープはチューニングキャパシタ電圧＋V(modulator)に従う。従って、コイルを通る電流は、キャリア周波数に無関係でR(modulator)によってモジュレーション処理される。
【００８９】
図１８(a)、図１８(b)、図１８(c)及び図１８(d)は本発明の多様な例示的波形を示す。図１８(a)はコイルＬに流れるコイル共鳴電流Iacを示す。図１８(b)は、共鳴周波数よりも高いキャリア周波数でモジュレーション処理されるR(modulator)の振幅を示す。R(modulator)の名目変化は０とR(modulator)との間である。図１８(c)はモジュレータの抵抗とそこに流れる電流との積によって発生する電圧の大きさ、つまり、モジュレーション抵抗の電圧振幅を示す。キャリア周波数のフェーズはIacのゼロクロッシング(zero crossing)で１８０度変化し、Iacのサイン変化(sign change)を補整する。従って、電流Ｉmodにはフェーズ変化が存在しない。ImodのエンベロープはIacによってモジュレーション処理され、全波整流正弦波(full wave rectified sine wave)に類似する。図１８(d)はモジュレーション抵抗の電圧振幅を示し、その抵抗はIacの振幅の変動を補正するようにスケール処理(scale)されている。R(modulator)の振幅は不連続なステップで変動させることができる。あるいはIacの各半サイクルで連続的に変動させることができ、Imodを効率的に波形形成(waveshape)させる。キャリア周波数が共鳴周波数よりも低い場合には、Iacのエンベロープの補整のための波形形成は不要である。
【００９０】
図１９(a)、図１９(b)、図１９(c)及び図１９(d)は、図１８(a)から図１８(d)に関連する典型的な周波数スペクトルを図示している。図１９(a)は、正弦波電流Iacの全波整流バージョンのスペクトルを図示している。この全波整流信号はそのスペクトル内にＤＣコンポーネントと偶数次の調波(even harmonics)とを有している。図１９(b)は、データでモジュレーション処理されているさらに高い周波数のスペクトルを図示している。図１９(c)はR(modulator)に生ずる電圧のスペクトルを図示している。そのデータスペクトルはIacの全波整流スペクトルのスペクトル線にモジュレーション処理されており、そのキャリア周波数にまで周波数変換されている。波形形成されると、余分な調波サイドバンドは図１９(d)のごとくに抑制される。R(modulator)の単純な４段階形成は全てのサイドバンドを‐２０ｄＢc以下に抑制する。
【００９１】
図２０(a)から図２０(d)はインピーダンスR(modulator)を変化させる多様なモジュレータを図示している。図２０(a)に示される単純なスイッチは、異なる実施例においては、必要に応じて異なる形態で提供される。例示として、実施態様によっては、スイッチは図２０(b)に概略的に図示するようにＦＥＴまたはＢＪＴスイッチの形態となる。図２０(c)は、ＦＥＴのチャンネル抵抗がどのように使用されて特定のスイッチング可能な直列抵抗の創出に使用されるかを示している。図２０(d)は、直列抵抗値が、いくつかの値間で変動され、V(modulator)の振幅の波形形成を行わせるアレンジを図示している。
【００９２】
図２１は、本発明のトランシーバの別実施例の回路の詳細を示している。この実施例においては、トランスポンダ回路はキャパシタにわたって、すなわちその両端に接続されており、擬似高調波レベル(spurious harmonic level)を最低限としている。コンパレータが検出抵抗にわたって、すなわちその両端に接続されており、Iacのゼロクロッシングを検出する。キャリアのフェーズはＸＯＲ１によってゼロクロッシングでリバースされている。このキャリアはキャリア発生器で発生される。もし高周波キャリアが必要であれば、ＰＬＬマルチプライアが使用され、共鳴周波数を逓倍処理(multiply up)する。あるいは、もし低周波キャリアが必要であれば、デバイダ回路を使用して共鳴周波数を分周することができる。プロセッサ回路は、トランスポンダデータメッセージを発生させる。それは、ＸＯＲ２のキャリア周波数をＰＲＫモジュレーション処理するのに使用される。必要であれば、送信された電流の波形形成を図２０(d)に示すようにマルチレベルモジュレータ(multi-level modulator)で行う。
【００９３】
図２２から図２５は、手荷物取扱いシステムに応用されている本発明の実施例を図示している。トランスポンダは手荷物に取りつけられた２つ折りラベルと共に収容されている。図示のごとく、このラベルの便利な搭載箇所は手荷物のハンドルである。
【００９４】
ラベルの一方はボード搭載回路の形態でトランスポンダを含んでいる。すなわち、必要なコンポーネントは回路ボードに搭載されており、相互に接続されて操作を可能にしている。従って、トランスポンダは容易に手荷物に固定させることができ、必要であれば容易に取り外せる。手荷物がチェックポイントを通過すると、尋問信号(interrogation signal)をも通過し、トランスポンダによって応答信号を発生させる。その信号はチェッキングステーションで受信され、複数の所定場所の１つに手荷物の自動搬送を行わせる。
【００９５】
前述したように、本発明のこの好適実施例は従来技術に優るいくつもの利点を提供する。その１つは、保存手段の慣性の排除であり、アンテナへの高速データの押し付けの排除である。
【００９６】
本発明をいくつかの実施例に基づいて例示的に解説してきたが、当業技術者であれば他の形態の実施態様でも本発明の実施が可能であること理解するであろう。
【図面の簡単な説明】
【００９７】
【図１】図１は、従来技術のトランシーバあるいはトランスポンダ回路の概略回路図である。
【図２】図２は、チューニングされたコイルに対するＡＣ電気モデルの概略図である。
【図３】図３は、図１の従来技術トランスポンダ回路に対する電気モデルの概略図である。
【図４】図４(a)から図４(d)は、関連波形と共に、従来技術の受動トランスポンダアンテナ回路の過渡応答(transient response)を規制する２つの機構を図示している。
【図５】図５(a)と図５(b)は、本発明の２つの実施例の概略図であり、モジュレータ手段は、アンテナ回路のＡＣ及びＤＣ部分にそれぞれモジュレーション処理される抵抗を含んでいる。
【図６】図６(a)と図６(b)は、モジュレータスイッチＳＷ１が閉鎖されているときの本発明の電気モデルの概略図である。
【図７】図７(a)と図７(b)は、モジュレータスイッチＳＷ１が開放されているときの本発明の電気モデルの概略図である。
【図８】図８(a)と図８(b)は、本発明の別な２つの実施例の概略図であり、直列抵抗はアンテナ回路のＡＣ及びＤＣ部分のＲＦサブキャリアでそれぞれモジュレーション処理されている。
【図９】図９(a)と図９(b)は、本発明のさらに別な２つの実施例の概略図であり、サブキャリアは回路のＡＣ及びＤＣ部分のデータでモジュレーション処理されている。
【図１０】図１０(a)は、本発明で利用されるスイッチ機能を図示するグラフである。図１０(b)は、アンテナ電圧のグラフである。図１０(c)は、サブキャリアの周波数スペクトルのグラフ図である。図１０(d)は、サブキャリアサイドバンド(side band)の周波数スペクトルのグラフ図である。図１０(e)、図１０(f)及び図１０(g)は、サブキャリアにモジュレーション処理されたデータと関連する周波数スペクトルのそれぞれのグラフ図である。
【図１１】図１１(a)と図１１(b)は、本発明の別な２つの実施例の概略図であり、アンテナはチューニングされていないコイルであり、直列抵抗はアンテナ回路のＡＣ及びＤＣ部分のＲＦサブキャリアによってそれぞれモジュレーション処理されている。
【図１２】図１２(a)から図１２(d)は、直列抵抗のモジュレーション処理のための４つの代替アレンジの概略図である。
【図１３】図１３(a)、図１３(b)は、補償定理(Compensation Theorem)による本発明に従ったトランシーバの概略図である。
【図１４】図１４は、補償定理(Compensation Theorem)による本発明に従ったトランシーバの概略図である。
【図１５】図１５(a)と図１５(b)は、本発明のトランシーバの別な２つの代替実施例のそれぞれの概略図である。
【図１６】図１６は、本発明の好適実施例のチューニングされたアンテナの概略回路図である。
【図１７】図１７(a)と図１７(b)は、チューニングされた周波数と、それより高い電波周波数での図１６のアンテナのそれぞれの電気モデルである。
【図１８】図１８(a)、図１８(b)、図１８(c)及び図１８(d)は、図１６の回路のための多様な例示的波形を図示している。
【図１９】図１９(a)、図１９(b)、図１９(c)及び図１９(d)は、図１８(a)から図１８(d)の波形に関連する周波数スペクトルを図示している。
【図２０】図２０(a)、図２０(b)、図２０(c)及び図２０(d)は、多様な代替インピーダンスモジュレーションアレンジを図示している。
【図２１】図２１は、本発明のトランシーバの別な好適実施例の概略回路図である。
【図２２】図２２は、本発明を実施するＲＦＩＤトランスポンダラベルを備えた手荷物の概略図である。
【図２３】図２３は、展開状態の図２２のラベルの拡大概略図である。
【図２４】図２４は、図２２のラベルのさらなる拡大概略図であり、コイル、チューニングキャパシタ及び受信回路の詳細を図示している。
【図２５】図２５は、図２２のラベルのさらに拡大された概略図であり、受信回路とチューニングキャパシタのさらなる詳細を図示している。
【図１】
2011123910.tif 000003
【図２】
2011123910.tif 000004
【図３】
2011123910.tif 000005
【図４（ａ）−（ｃ）】
2011123910.tif 000006
【図４（ｄ）】
2011123910.tif 000007
【図５】
2011123910.tif 000008
【図６】
2011123910.tif 000009
【図７】
2011123910.tif 000010
【図８】
2011123910.tif 000011
【図９】
2011123910.tif 000012
【図１０（ａ）−（ｄ）】
2011123910.tif 000013
【図１０（ｅ）−（ｇ）】
2011123910.tif 000014
【図１１】
2011123910.tif 000015
【図１２】
2011123910.tif 000016
【図１３】
2011123910.tif 000017
【図１４】
2011123910.tif 000018
【図１５】
2011123910.tif 000019
【図１６】
2011123910.tif 000020
【図１７】
2011123910.tif 000021
【図１８】
2011123910.tif 000022
【図１９】
2011123910.tif 000023
【図２０】
2011123910.tif 000024
【図２１】
2011123910.tif 000025
【図２２】
2011123910.tif 000026
【図２３】
2011123910.tif 000027
【図２４】
2011123910.tif 000028
【図２５】
2011123910.tif 000029
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
アンテナから送信される送信信号であって、変調されたデータ信号が重畳されたキャリア信号を含む送信信号の調波を抑制する方法であって、
少なくとも２つの非ゼロのインピーダンス値の間で選択可能である、制御可変インピーダンスを含むモジュレータを設けるステップと、
前記モジュレータを前記データ信号に応じて変調可能とし、負荷と前記アンテナの間に直列に接続するステップと、
前記モジュレータが前記制御可変インピーダンスによって供される電圧に応じた電圧を前記アンテナの両端間に発生させるように、前記モジュレータを構成するステップと、
を備えることを特徴とする方法。
【請求項２】
前記アンテナは、
コイルと、
保存キャパシタを有する電力保存システムと、を含み、
前記制御可変インピーダンスは、前記コイルと前記保存キャパシタの間に直列に設けられることを特徴とする請求項１に記載の方法。
【請求項３】
前記アンテナは、
コイルと、
整流器および保存キャパシタを有する電力保存システムと、を含み、
前記制御可変インピーダンスは、前記整流器と前記保存キャパシタの間に直列に設けられることを特徴とする請求項１に記載の方法。
【請求項４】
前記アンテナは、
コイルと、
保存キャパシタを有する電力保存システムと、を含み、
前記制御可変インピーダンスは、前記コイルと前記電力保存システムの間に直列に設けられることを特徴とする請求項１に記載の方法。
【請求項５】
前記アンテナは、
コイルと、
整流器を有する電力保存システムと、を含み、
前記制御可変インピーダンスは、前記コイルと前記整流器の間に直列に設けられることを特徴とする請求項１に記載の方法。
【請求項６】
前記アンテナのピーク電圧が、前記制御可変インピーダンスに生ずる電圧と、交流の短絡回路として機能する保存キャパシタを有する電力保存システムに生ずる電圧との合計値にクランプされることを特徴とする請求項１に記載の方法。
【請求項７】
スイッチの閉状態により、前記アンテナのピーク電圧は、交流の短絡回路として機能する保存キャパシタを有する電力保存システムの電圧にクランプされることを特徴とする請求項１に記載の方法。
【請求項８】
前記アンテナは、
コイルと、
保存キャパシタを有する電力保存システムと、を含み、
ＤＣ動作点を保持するために、変調は、前記保存キャパシタの応答速度よりも速いことを特徴とする請求項１に記載の方法。
【請求項９】
前記アンテナは、コイルを含み、
前記制御可変インピーダンスは、前記コイルと前記アンテナの同調キャパシタの間に直列に設けられることを特徴とする請求項１に記載の方法。
【請求項１０】
トランスポンダ回路が、前記同調キャパシタの両端に接続されたことを特徴とする請求項９に記載の方法。
【請求項１１】
前記トランスポンダ回路は、前記制御可変インピーダンスおよび前記同調キャパシタの両端に接続され、前記制御可変インピーダンスが前記同調キャパシタに対して直列に接続されることを特徴とする請求項１０に記載の方法。
【請求項１２】
トランスポンダ回路が前記同調キャパシタの両端に接続され、前記制御可変インピーダンスは、前記コイルおよび前記トランスポンダ回路の間に直列に接続されることを特徴とする請求項１１に記載の方法。
【請求項１３】
前記モジュレータは、前記信号を、送信用の前記キャリア信号の上で変調するためのスイッチを含むことを特徴とする請求項１に記載の方法。
【請求項１４】
前記スイッチは、電界効果トランジスタスイッチまたはバイポーラトランジスタスイッチであることを特徴とする請求項１３に記載の方法。
【請求項１５】
前記制御可変インピーダンスは、２値もしくはそれより多値で変化することを特徴とする請求項１に記載の方法。
【請求項１６】
スイッチが、直列抵抗のインピーダンスを変化させることを特徴とする請求項１に記載の方法。
【請求項１７】
前記制御可変インピーダンスは、前記アンテナに流れる電流に作用するように、実質的にステップ状に変化することを特徴とする請求項１に記載の方法。
【請求項１８】
前記制御可変インピーダンスは、前記アンテナに流れる電流に作用するように、不連続なステップ状に変化することを特徴とする請求項１に記載の方法。
【請求項１９】
前記信号は、ベースバンド信号であることを特徴とする請求項１に記載の方法。
【請求項２０】
前記信号は、送信用のサブキャリア信号上にデータが変調された高周波サブキャリア信号であることを特徴とする請求項１に記載の方法。
【請求項２１】
送信用の前記サブキャリア信号上に変調により重畳される前記データは、ＰＲＫ（Phase Reverse Keying）を用いて変調されることを特徴とする請求項２０に記載の方法。
【請求項２２】
サブキャリア信号は、励起周波数を分周して生成されることを特徴とする請求項１に記載の方法。
【請求項２３】
送信用のサブキャリア信号上に変調により重畳されるデータは、前記アンテナのＤＣ動作点を変化させずに変調されることを特徴とする請求項１に記載の方法。
【請求項２４】
前記アンテナは、コイルを含み、
変調処理は、前記コイルの電流のゼロクロス点において位相を１８０度変化させることを特徴とする請求項１に記載の方法。
【請求項２５】
前記コイルの電流のゼロクロス点を検出するためにコンパレータを用いることを特徴とする請求項２４に記載の方法。
【請求項２６】
前記モジュレータは、前記アンテナを備えるトランシーバを特定するためのデータ信号にもとづき、変調処理を実行することを特徴とする請求項１に記載の方法。
【請求項２７】
前記制御可変インピーダンスは、可変抵抗であることを特徴とする請求項１に記載の方法。
【請求項２８】
前記制御可変インピーダンスは、可変電圧であることを特徴とする請求項１に記載の方法。
【請求項２９】
前記制御可変インピーダンスの配置によって、前記モジュレータに比較的に高いスイッチングレートが可能となることを特徴とする請求項１に記載の方法。
【請求項３０】
スイッチングレートは、前記アンテナのＤＣスルーレートリミットよりも高いことを特徴とする請求項１に記載の方法。
【請求項３１】
前記アンテナは、ＲＦＩＤ（Radio Frequency Identification）デバイスに関連して動作することを特徴とする請求項１に記載の方法。
【請求項３２】
第１信号を受信し、第２信号を送信するステップと、
信号処理部を介して、前記アンテナから、前記第１信号を示す第３信号を受けるステップと、
前記第２信号を生成するために前記アンテナに第４信号を提供するステップと、
前記アンテナと前記信号処理部の間のインピーダンスを変化させることにより前記アンテナに、前記第１信号に対して高く、前記第２信号に対して低いデュアルＱファクタを提供するステップと、
をさらに備えることを特徴とする請求項１に記載の方法。
【請求項３３】
第１信号を受信し、第２信号を送信するステップと、
信号処理部を介して、前記アンテナから、前記第１信号を示す第３信号を受けるステップと、
前記第２信号を生成するために前記アンテナに第４信号を提供するステップと、
前記アンテナの両端間の電圧を実質的に段階的に変動させ、低値と高値との間でアンテナに流れる電流の変動に影響を及ぼし、前記アンテナの受信効率に実質的な影響を及ぼすことなく前記第２信号を送信させるステップと、
をさらに備えることを特徴とする請求項１に記載の方法。
【請求項３４】
トランシーバが第１信号を受信するステップと、
前記トランシーバが第４信号を送信するステップと、
前記アンテナを介して前記第１信号を受信し、それにより第２信号を生成し、前記第１信号は第１所定周波数を有しているステップと、
前記第２信号を受信回路に提供するステップと、
同調回路により前記アンテナを、前記第１所定周波数またはその付近に共鳴周波数を有するようにチューニングするステップと、
前記アンテナと前記同調回路との間のインピーダンスを変動させ、前記第２信号によって第２所定周波数で前記アンテナに第３信号を発生させ、前記アンテナに第３信号から導かれた第４信号を送信させるステップと、
をさらに備えることを特徴とする請求項１に記載の方法。
【請求項３５】
第１所定周波数を有する第１信号をコイルを介して受信するステップと、
第４信号を送信するステップと、
前記コイルと並列にキャパシタを接続し、前記アンテナに前記第１所定周波数またはその付近に共鳴周波数を提供するステップと、
前記第１信号から第２信号を生成するステップと、
前記モジュレータを前記キャパシタと直列に設け、可変インピーダンスを提供することにより、前記コイルにて第２所定周波数で第２信号に第３信号を発生させるステップと、
前記コイルを介して、前記第３信号から得られる第４信号を送信するステップと、
を備えることを特徴とする請求項１に記載の方法。
【請求項３６】
前記制御可変インピーダンスは、少なくとも３つのインピーダンス値の間で選択可能であることを特徴とする請求項１に記載の方法。
【請求項３７】
アンテナであり、前記アンテナから送信される、変調されたデータ信号が重畳されたキャリア信号を含む送信信号の調波を抑制するアンテナであって、
少なくとも２つの非ゼロのインピーダンス値の間で選択可能である、制御可変インピーダンスを含むモジュレータであって、前記アンテナと負荷の間に直列に接続されたモジュレータを備え、
前記モジュレータは、前記データ信号に応じて変調可能であり、
前記モジュレータは、前記制御可変インピーダンスによって供される電圧に応じた電圧を前記アンテナの両端間に発生させるように構成されることを特徴とするアンテナ。
【請求項３８】
コイルと、
保存キャパシタを有する電力保存システムと、
を備え、
前記制御可変インピーダンスは、前記コイルと前記保存キャパシタの間に直列に設けられることを特徴とする請求項３７に記載のアンテナ。
【請求項３９】
コイルと、
整流器および保存キャパシタを有する電力保存システムと、
を備え、
前記制御可変インピーダンスは、前記整流器と前記保存キャパシタの間に直列に設けられることを特徴とする請求項３７に記載のアンテナ。
【請求項４０】
コイルと、
保存キャパシタを有する電力保存システムと、を含み、
前記制御可変インピーダンスは、前記コイルと前記電力保存システムの間に直列に設けられることを特徴とする請求項３７に記載のアンテナ。
【請求項４１】
コイルと、
整流器を有する電力保存システムと、を含み、
前記制御可変インピーダンスは、前記コイルと前記整流器の間に直列に設けられることを特徴とする請求項３７に記載のアンテナ。
【請求項４２】
前記アンテナのピーク電圧が、前記制御可変インピーダンスに生ずる電圧と、保存キャパシタが交流の短絡回路として機能している電力システムに生ずる電圧との合計値にクランプされることを特徴とする請求項３７に記載のアンテナ。
【請求項４３】
前記モジュレータはスイッチを含み、
前記スイッチが閉状態において、前記アンテナのピーク電圧は、保存キャパシタが交流の短絡回路として機能している電力システムの電圧にクランプされることを特徴とする請求項３７に記載のアンテナ。
【請求項４４】
コイルと、
保存キャパシタを有する電力保存システムと、を含み、
前記モジュレータは、ＤＣ動作点を保持するために、前記保存キャパシタの応答速度よりも早いことを特徴とする請求項３７に記載のアンテナ。
【請求項４５】
前記アンテナは、コイルを含み、
前記制御可変インピーダンスは、前記コイルおよび前記アンテナの同調キャパシタに対して直列に設けられることを特徴とする請求項３７に記載のアンテナ。
【請求項４６】
トランスポンダ回路が、前記同調キャパシタの両端に接続されたことを特徴とする請求項４５に記載のアンテナ。
【請求項４７】
前記トランスポンダ回路は、前記制御可変インピーダンスおよび前記同調キャパシタの両端に接続され、前記制御可変インピーダンスが前記同調キャパシタに対して直列に接続されることを特徴とする請求項４６に記載のアンテナ。
【請求項４８】
前記トランスポンダ回路は、前記同調キャパシタの両端に接続され、前記制御可変インピーダンスは、前記コイルおよび前記トランスポンダ回路との間に直列に接続されることを特徴とする請求項４７に記載のアンテナ。
【請求項４９】
前記モジュレータは、前記データ信号を変調し、送信用の前記キャリア信号に重畳するためのスイッチを含むことを特徴とする請求項３７に記載のアンテナ。
【請求項５０】
前記スイッチは、電界効果トランジスタスイッチまたはバイポーラトランジスタスイッチを含むことを特徴とする請求項４９に記載のアンテナ。
【請求項５１】
前記制御可変インピーダンスは、２値もしくはそれより多値で変化することを特徴とする請求項３７に記載のアンテナ。
【請求項５２】
スイッチが、直列抵抗のインピーダンスを変化させることを特徴とする請求項３７に記載のアンテナ。
【請求項５３】
前記制御可変インピーダンスは、前記アンテナに流れる電流が実質的にステップ状となるように変化することを特徴とする請求項３７に記載のアンテナ。
【請求項５４】
前記制御可変インピーダンスは、前記アンテナに流れる電流が不連続なステップ状となるように変化することを特徴とする請求項３７に記載のアンテナ。
【請求項５５】
前記データ信号は、ベースバンド信号であることを特徴とする請求項３７に記載のアンテナ。
【請求項５６】
前記データ信号は、データが変調されて送信用の前記キャリア信号上に重畳された高周波サブキャリア信号であることを特徴とする請求項３７に記載のアンテナ。
【請求項５７】
送信用の前記サブキャリア信号上に変調により重畳される前記データは、ＰＲＫ（Phase Reverse Keying）を用いて変調されることを特徴とする請求項５６に記載のアンテナ。
【請求項５８】
サブキャリア信号は、励起周波数を分周して生成されることを特徴とする請求項３７に記載のアンテナ。
【請求項５９】
送信用のサブキャリア信号上に変調により重畳されるデータは、前記アンテナのＤＣ動作点を変化させずに変調されることを特徴とする請求項３７に記載のアンテナ。
【請求項６０】
コイルを含み、
変調は、前記コイルの電流のゼロクロス点において位相を１８０度変化させることを特徴とする請求項３７に記載のアンテナ。
【請求項６１】
前記コイルの電流のゼロクロス点を検出するためにコンパレータを用いることを特徴とする請求項６０に記載のアンテナ。
【請求項６２】
前記モジュレータは、前記アンテナを備えるトランシーバを特定するデータ信号にもとづき、変調処理を実行することを特徴とする請求項３７に記載のアンテナ。
【請求項６３】
前記制御可変インピーダンスは、可変抵抗であることを特徴とする請求項３７に記載のアンテナ。
【請求項６４】
前記制御可変インピーダンスは、可変電圧であることを特徴とする請求項３７に記載のアンテナ。
【請求項６５】
前記制御可変インピーダンスの構成は、前記モジュレータに高いスイッチングレートを提供することを特徴とする請求項３７に記載のアンテナ。
【請求項６６】
スイッチングレートは、前記アンテナに関連づけられるＤＣスルーレートの制限よりも高いことを特徴とする請求項３７に記載のアンテナ。
【請求項６７】
ＲＦＩＤ（Radio Frequency Identification）デバイスにおいて実装されることを特徴とする請求項３７に記載のアンテナ。
【請求項６８】
トランシーバに搭載されることを特徴とする請求項３７に記載のアンテナ。
【請求項６９】
前記アンテナは、同調アンテナを構成することを特徴とする請求項３７に記載のアンテナ。
【請求項７０】
トランスポンダに搭載されることを特徴とする請求項３７に記載のアンテナ。
【請求項７１】
その内部において第１信号が第１電流を生成するとともに、第２電流が第２信号を生成するのをサポートする同調コイルを備え、
前記アンテナの前記モジュレータには前記第１電流および前記第２電流が流れ、前記コイルに、前記第１電流に対して高く、前記第２電流に対して低いデュアルＱファクタが提供されることを特徴とする請求項３７に記載のアンテナ。
【請求項７２】
第１所定周波数を有する第１信号を受信するコイルと、
前記コイルに並列に接続され、前記アンテナに前記第１所定周波数またはその付近に共鳴周波数を提供するキャパシタと、
を備え、
前記モジュレータは、前記キャパシタと直列に接続され、第２信号が前記コイルにおいて第２所定周波数で第３信号を発生し、それにより前記コイルが前記第３信号から得られる第４信号を送信するように、可変インピーダンスを提供することを特徴とする請求項３７に記載のアンテナ。
【請求項７３】
前記制御可変インピーダンスは、少なくとも３つのインピーダンス値の間で選択可能であることを特徴とする請求項３７に記載のアンテナ。